(57)【要約】  弾性の長尺キャリア要素と、ウインドスクリーンと当接して配置され得る可撓性材料の長尺ワイパブレードとを備えるウインドスクリーンワイパ装置であって、ワイパブレードが、長手方向の両側面に互いに反対向きの複数の長手方向溝を含み、該溝内にキャリア要素の互いに離間した複数の長手方向ストリップが配置され、ストリップの隣接する端部同士がそれぞれの接続部品により相互接続され、当該装置が揺動ワイパアーム用の接続装置を備え、接続部品が、ストリップの周囲に係合する係合部材を備え、ストリップと接続部品がスナップ接続部によりスライド可能に接続される、ウインドスクリーンワイパ装置において、ウインドスクリーンに対して垂直に延びるピンが、ストリップのうちの一方の穴の位置でワイパブレードと係合し、ピンが、ストリップに対するワイパブレードの長手方向移動であって、接続部品から離れる長手方向移動を妨げるように配置される。【選択図】図９
2014514207.tif 000002
【特許請求の範囲】
【請求項１】
弾性の長尺なキャリア要素、ならびに、拭き取られるべきウインドスクリーンと当接して配置され得る可撓性材料の長尺なワイパブレード（２）を備えるウインドスクリーンワイパ装置（１）であって、前記ワイパブレード（２）が、長手方向の両側面に互いに反対向きの複数の長手方向溝（３）を含み、該長手方向溝（３）内に前記キャリア要素の互いに離間した複数の長手方向ストリップ（４）が配置され、前記長手方向ストリップ（４）の隣接する端部（５）同士がそれぞれの接続部品（６）によって相互に接続され、当該ウインドスクリーンワイパ装置（１）が揺動ワイパアーム（８）のための接続装置（７）を備え、少なくとも１つの前記接続部品（６）が、前記長手方向ストリップ（４）の周囲に係合する係合部材（１３）を備え、それにより、前記長手方向ストリップ（４）が、前記係合部材（１３）により形成される溝（１４）内に装着され、前記長手方向ストリップ（４）と前記接続部品（６）とがスナップ接続部によってスライド可能に接続される、ウインドスクリーンワイパ装置（１）において、
拭き取られるべき前記ウインドスクリーンに対して垂直な方向に延びる少なくとも１つのピン（１８）が、前記長手方向ストリップ（４）のうちの一方の穴（１６）の位置で前記ワイパブレード（２）と係合し、前記ピン（１８）が、前記長手方向ストリップ（４）に対する前記ワイパブレード（２）の長手方向移動であって、前記ワイパブレード（２）の長手方向において前記接続部品（６）から離れる長手方向移動を妨げるように配置されることを特徴とするウインドスクリーンワイパ装置（１）。
【請求項２】
前記穴（１６）が閉じられたまたは開放された外周を有する、請求項１に記載のウインドスクリーンワイパ装置（１）。
【請求項３】
前記スナップ接続部が、前記長手方向ストリップ（４）にある短手方向の延出手段を備え、前記延出手段が、前記長手方向ストリップ（４）それぞれの内側縁部（１１）から短手方向に延びる少なくとも１つの突起（１０）を備え、前記突起（１０）が、前記長手方向ストリップ（４）それぞれの外側輪郭内で前記接続部品（６）のストッパ（１２）同士の間に配置され、前記穴（１６）が、前記突起（１０）と前記長手方向ストリップ（４）の前記内側縁部（１１）とによって前記長手方向ストリップ（４）の前記外側輪郭内に形成される、請求項１または２に記載のウインドスクリーンワイパ装置（１）。
【請求項４】
前記穴（１６）が少なくとも略Ｕ形状断面を有し、前記ピン（１８）が、前記長手方向ストリップ（４）に対する前記ワイパブレード（２）の長手方向移動であって、前記ワイパブレード（２）の長手方向において前記接続部品（６）に向かうおよび前記接続部品（６）から離れる長手方向移動を妨げるように配置される、請求項１、２または３に記載のウインドスクリーンワイパ装置（１）。
【請求項５】
前記ピン（１８）が、前記長手方向ストリップ（４）を受け入れる前記長手方向溝（３）の底部の位置で前記ワイパブレード（２）に係合する、請求項１〜４のいずれか１項に記載のウインドスクリーンワイパ装置（１）。
【請求項６】
前記ピン（１８）が別個の構造要素である、請求項１〜５のいずれか１項に記載のウインドスクリーンワイパ装置（１）。
【請求項７】
前記ピン（１８）が少なくとも２つ設けられ、前記ピン（１８）が、前記長手方向ストリップ（４）に対する前記ワイパブレード（２）の長手方向移動を妨げるように配置される、請求項１〜５のいずれか１項に記載のウインドスクリーンワイパ装置（１）。
【請求項８】
前記複数のピン（１８）がそれぞれ別個の構造要素である、請求項７に記載のウインドスクリーンワイパ装置（１）。
【請求項９】
１つの別個の構造要素（１７）を形成する前記複数のピン（１８）が短手方向ブリッジ（１９）により相互に接続される、請求項７に記載のウインドスクリーンワイパ装置（１）。
【請求項１０】
前記ピン（１８）と前記短手方向ブリッジ（１９）とが一体部品を成す、請求項９に記載のウインドスクリーンワイパ装置（１）。
【請求項１１】
前記１つの別個の構造要素（１７）がＵ形状である、請求項９または１０に記載のウインドスクリーンワイパ装置（１）。
【請求項１２】
前記Ｕ形状を有する前記別個の構造要素（１７）が前記接続部品（６）によって保持される、請求項１１に記載のウインドスクリーンワイパ装置（１）。
【請求項１３】
本発明に係るウインドスクリーンワイパ装置（１）を製造するための方法であって、拭き取られるべきウインドスクリーンと当接して配置され得る可撓性材料の長尺なワイパブレード（２）の長手方向の両側面に互いに反対向きの複数の長手方向溝（３）が形成され、その後に前記長手方向溝（３）内にキャリア要素の複数の長手方向ストリップ（４）が互いに離間して嵌め付けられ、前記長手方向ストリップ（４）の隣接する端部（５）同士がそれぞれの接続部品（６）によって相互に接続され、揺動ワイパアーム（８）のための接続装置（７）が設けられ、前記長手方向ストリップ（４）と少なくとも１つの前記接続部品（６）とがスナップ接続部によってスライド可能に接続され、前記接続部品（６）の係合部材（１３）が前記長手方向ストリップ（４）の周囲に係合され、それにより、前記係合部材（１３）により形成される溝（１４）内に前記長手方向ストリップ（４）が装着される方法において、拭き取られるべき前記ウインドスクリーンに対して垂直な方向に延びる少なくとも１つのピン（１８）が使用され、前記長手方向ストリップ（４）のうちの一方の穴（１６）の位置で前記ピン（１８）が前記ワイパブレード（２）と係合され、前記ピン（１８）が、前記長手方向ストリップ（４）に対する前記ワイパブレード（２）の長手方向移動であって、前記ワイパブレード（２）の長手方向において前記接続部品（６）から離れる長手方向移動を妨げるように配置されることを特徴とする方法。
【発明の詳細な説明】
【技術分野】
【０００１】
本発明は、弾性の長尺なキャリア要素、ならびに、拭き取られるべきウインドスクリーン（防風窓）と当接して配置され得る可撓性材料の長尺なワイパブレードを備えるウインドスクリーンワイパ装置であって、ワイパブレードが、長手方向の両側面に互いに反対向きの複数の長手方向溝を含み、該溝内にキャリア要素の互いに離間した複数の長手方向ストリップが配置され、長手方向ストリップの隣接する端部同士がそれぞれの接続部品によって相互に接続され、ウインドスクリーンワイパ装置が揺動ワイパアームのための接続装置を備え、少なくとも１つの接続部品が、長手方向ストリップの周囲に係合する係合部材を備え、それにより、長手方向ストリップが、係合部材により形成される溝内に装着され、長手方向ストリップと接続部品とがスナップ接続部によってスライド可能に接続される、ウインドスクリーンワイパ装置に関する。
【背景技術】
【０００２】
そのようなウインドスクリーンワイパ装置は、同じ出願人の欧州特許出願公開第１４９１４１６号明細書から知られる。本発明のウインドスクリーンワイパ装置のような従来技術のウインドスクリーンワイパ装置は、「平坦ブレード」または「ヨーク無しブレード」として設計され、この場合、互いに回動可能に接続される幾つかのヨークがもはや使用されず、ワイパブレードがキャリア要素によって付勢され、その結果として、キャリア要素が特定の曲率を成す。
【発明の概要】
【発明が解決しようとする課題】
【０００３】
実際には、従来技術のウインドスクリーンワイパ装置では、長手方向ストリップの隣接端部と接続部品（実際には「エンドキャップ」とも呼ばれる）とが耐久性のある頑丈な態様で接続されるが、エンドキャップ同士の間におけるワイパブレードの位置をより良く制御できると感じられる。確かに、ワイパブレードのゴム材料の公差は数ミリメートルであり、エンドキャップの構造も数ミリメートルの空間を残す。
【０００４】
本発明の目的は、前述した従来技術を改良することであり、特に、長手方向ストリップと接続部品（「エンドキャップ」）とが耐久性のある頑丈な態様で接続されるとともにワイパブレードの位置をより良く規定できるウインドスクリーンワイパ装置を提供することである。
【課題を解決するための手段】
【０００５】
その目的を達成するため、序文で言及される類のウインドスクリーンワイパ装置は、本発明によれば、拭き取られるべきウインドスクリーンに対して垂直な方向に延びる少なくとも１つのピンが、長手方向ストリップのうちの一方の穴の位置でワイパブレードと係合し、ピンが、長手方向ストリップに対するワイパブレードの長手方向移動であって、ワイパブレードの長手方向において接続部品から離れる長手方向移動を妨げるように配置されることを特徴とする。したがって、ワイパブレードは、ストリップに対して少なくとも１つの長手方向に移動できない。
【０００６】
特に、成形工程または押出成形工程の両方は、付加的な工具および機器に関する限りにおいて高いコストを伴うことなく、信頼できる制御可能な態様でワイパブレードを形成できるようにする。
【０００７】
好ましくは、穴は閉じられた外周を有する。代替形態では、穴が開放された外周を有する。後者の場合、穴が凹部を形成する。特に、スナップ接続部が、長手方向ストリップにある短手方向の延出手段を備え、延出手段が、長手方向ストリップそれぞれの内側縁部から短手方向に延びる少なくとも１つの突起を備え、突起が、長手方向ストリップそれぞれの外側輪郭内で接続部品のストッパ同士の間に配置され、凹部が、突起と長手方向ストリップの内側縁部とによってストリップの外側輪郭内に形成される。
【０００８】
本発明に係るウインドスクリーンワイパ装置の１つの好ましい実施形態において、穴が少なくとも略Ｕ形状断面を有し、ピンが、長手方向ストリップに対するワイパブレードの長手方向移動であって、ワイパブレードの長手方向において接続部品に向かうおよび接続部品から離れる長手方向移動を妨げるように配置される。そのため、ストリップに対するワイパブレードの両方向の長手方向移動が妨げられる。
【０００９】
本発明に係るウインドスクリーンワイパ装置の他の好ましい実施形態において、ピンが、長手方向ストリップを受け入れる溝の底部の位置でワイパブレードに係合する。好ましくは、ピンが別個の構造要素である。
【００１０】
本発明に係るウインドスクリーンワイパ装置の他の好ましい実施形態では、ピンが少なくとも２つ設けられ、ピンが、ストリップに対するワイパブレードの長手方向移動を妨げるように配置される。言い換えると、第１のピンは、一方のストリップに対するワイパブレードの（接続部品から離れる、あるいは接続部品から離れるおよび接続部品に向かう）長手方向移動を妨げるように配置され、一方、第２のピンは、他方のストリップに対するワイパブレードの（先と同様に、接続部品から離れる、あるいは接続部品から離れるおよび接続部品に向かう）長手方向移動を妨げるように配置される。
【００１１】
本発明に係るウインドスクリーンワイパ装置の他の好ましい実施形態では、複数のピンがそれぞれ別個の構造要素である。
【００１２】
本発明に係るウインドスクリーンワイパ装置の他の好ましい実施形態では、１つの別個の構造要素を形成する複数のピンが短手方向ブリッジにより相互に接続される。特に、ピンと短手方向ブリッジとが一体部品を成す。さらに、とりわけ、１つの別個の構造要素がＵ形状であり（すなわち、ステープルの形態を成す）、Ｕ形状を有する別個の構造要素が接続部品によって保持される。言い換えると、接続部品は、Ｕ形状の別個の構造要素を所定の位置に保持し、したがって、その構造要素を固定する。
【００１３】
また、本発明は、本発明に係るウインドスクリーンワイパ装置を製造するための方法であって、拭き取られるべきウインドスクリーンと当接して配置され得る可撓性材料の長尺なワイパブレードの長手方向の両側面に互いに反対向きの複数の長手方向溝が形成され、その後に長手方向溝内にキャリア要素の複数の長手方向ストリップが互いに離間して嵌め付けられ、長手方向ストリップの隣接する端部同士がそれぞれの接続部品によって相互に接続され、揺動ワイパアームのための接続装置が設けられ、長手方向ストリップと少なくとも１つの接続部品とがスナップ接続部によってスライド可能に接続され、接続部品の係合部材が長手方向ストリップの周囲に係合され、それにより、係合部材により形成される溝内に長手方向ストリップが装着される方法において、拭き取られるべきウインドスクリーンに対して垂直な方向に延びる少なくとも１つのピンが使用され、長手方向ストリップのうちの一方に形成される穴の位置でピンがワイパブレードと係合され、ピンが、長手方向ストリップに対するワイパブレードの長手方向移動であって、ワイパブレードの長手方向において接続部品から離れる長手方向移動を妨げるように配置されることを特徴とする方法に関する。
【００１４】
ここで、図面に示される図を参照して、本発明をさらに詳しく説明する。
【図面の簡単な説明】
【００１５】
【図１】図１は、本発明に係るウインドスクリーンワイパ装置の好ましい実施形態の概略斜視図である。
【図２】図２は、好ましい一実施形態に係る図１のウインドスクリーンワイパ装置の詳細を示している。
【図３】図３は、好ましい別の実施形態に係る図１のウインドスクリーンワイパ装置の詳細を示している。
【図４】図４は、好ましいさらに別の実施形態に係る図１のウインドスクリーンワイパ装置の詳細を示している。
【図５】図５は、好ましいさらに別の実施形態に係る図１のウインドスクリーンワイパ装置の詳細を示している。
【図６】図６は、好ましいさらに別の実施形態に係る図１のウインドスクリーンワイパ装置の詳細を示している。
【図７】図７は、本発明のステープル状の構造要素を含む、図１のウインドスクリーンワイパ装置の一部の分解図である。
【図８】図８は、図７のステープル状構造要素の機能を明らかにする、接続部品が取り除かれた状態の好ましい実施形態に係る図１のウインドスクリーンワイパ装置の自由端を示している。
【図９】図９は図８の断面図である。
【発明を実施するための形態】
【００１６】
図１は、本発明に係るウインドスクリーンワイパ装置１の好ましい変形例を示す。ウインドスクリーンワイパ装置は、エラストマーワイパブレード２であって、その長手方向の両側部に互いに反対向きの複数の長手方向溝３が形成される、エラストマーワイパブレード２（図２）と、長手方向溝３に嵌め付けられるスプリングバンドスチールから成る長手方向ストリップ４（図３）とで作られる。ストリップ４は、言わば、ゴム製のワイパブレード２のための可撓性を有するキャリア要素を形成し、したがって、ワイパブレード２を湾曲位置に付勢する（動作位置における曲率は、拭き取られるべきウインドスクリーンの曲率である）。ストリップ４の隣接する端部５同士は、別個の構造要素であるプラスチック接続部品６を用いてウインドスクリーンワイパ装置の両側で相互に接続される。ウインドスクリーンワイパ装置１には、揺動アーム８のための接続装置７と、スポイラ９とがさらに設けられる。
【００１７】
図４Ａは、図１のウインドスクリーンワイパ装置１の自由端を示し、一方、図５Ａは、ワイパブレード２が存在している自由端の底面図を示す。図４Ａおよび図５Ａは、ウインドスクリーンワイパ装置１の一方の自由端のみを示し、これは、ゴムの保持がウインドスクリーンワイパ装置１の一端でのみなされるからであり、そのため、ウインドスクリーンワイパ装置の他端のゴムは自由にスライドできる。図４Ｂおよび図５Ｂは、図４Ａおよび図５Ａにそれぞれ対応するが、ここでは、ワイパブレード２が接続部品６を越えて恒久的に延びる、すなわち、例えば接続部品６と車のＡピラーとの間の接触を避けるためにワイパブレード２が接続部品の端壁の開口を通じて突き出る、好ましい実施形態に関連する。対応する部分は同じ参照符号を伴って示されている。
【００１８】
ストリップ４自体の平面図に関連する図３Ａを参照すると、ストリップ４それぞれには、ストリップ４の長手方向の内側縁部１１から短手方向に延びる突起１０が設けられる。接続部品６がストリップ４の隣接する端部５にスライド可能に装着されると、突起１０が接続部品６の内側のストッパ１２（「切り欠き１２」）同士の間でスナップ留めされるあるいはクリック留めされるスナップ接続部またはクリック接続部が実現される。各突起１０は、これらの対向するストッパ１２同士の間の小溝に置かれる。したがって、ストリップ４は、接続部品６に対する長手方向移動が妨げられる。また、各接続部品６にはそれと一体に形成される係合部材１３も設けられ、係合部材１３は、ストリップ４を内部でスライドさせるための溝１４を形成するためにストリップ４の周囲に係合する。係合部材１３は、接続部品６に対するストリップ４の短手方向移動の阻止を確保する。各接続部品６は、スポイラ９の自由端を受け入れるためのキャビティを有する。接続部品６の自由端に背を向けたストッパ１２には傾斜上面が設けられ、それにより、ストリップ４上で接続部品６をスライドさせるのに過大な力を必要とせず、一方、突起１０が溝内に置かれると、接続部品６をストリップ４から容易に取り外すことができない。また、接続部品６の自由端に向いたストッパ１２は、ストリップ４同士の距離を一定に維持する。これは、各ストリップ４の上端がストッパ１２と接続部品６の（側）壁との間に配置されるからである。
【００１９】
さらに図３Ａを参照すると、各ストリップ４の突起１０および内側縁部１１は、その外端に第１の凹部１５を形成するとともに、第２の凹部１６も形成する。脚部またはピン１８とベースまたは短手方向ブリッジ１９とを有するＵ形状を成す、図７に示される本発明に係る別個の構造要素１７が接続部品６の内側に装着され、それにより、各ピン１８がそれぞれのストリップ４の第１の凹部１５を貫通してワイパブレード２のそれぞれの溝３の底部の内側に達する場合、ワイパブレード２は、接続部品６（の端壁２０）から離れる、ストリップ４に対する長手方向移動を阻止される。このとき、端壁に向かう方向でのワイパブレード２のストリップ４に対する長手方向移動は、端壁２０によって妨げられる。言い換えると、ワイパブレード２の末端は、接続部品６の端壁２０と接触する。あるいは、脚部またはピン１８とベースまたは短手方向ブリッジ１９とを有するＵ形状を成す、図７に示される本発明に係る別個の構造要素１７が接続部品６の内側に装着され、それにより、各ピン１８がそれぞれのストリップ４の第２の凹部１６を貫通してワイパブレード２のそれぞれの溝３の底部の内側に達する場合、ワイパブレード２は、接続部品６（の端壁２０）から離れる、および接続部品６（の端壁２０）に向かう、ストリップ４に対する長手方向移動を阻止される。凹部１６または穴１６の場合には、図４Ａおよび図４Ｂの両方の実施形態を使用できる。図３Ｂは、図３Ａに対応するが、外周が閉じられた穴１６が両方のストリップ４に存在する好ましい実施形態に関連する。対応する部分は同じ参照符号を伴って示されている。
【００２０】
図６ａおよび図６ｂから分かるように、ストリップ４の凹部／穴１６はそれぞれ、ストリップ４に対するワイパブレード２の矢印２１，２２の方向での相対的な長手方向移動を妨げるためのＵ形状の構造要素１７のピン１８を備える。
【００２１】
図７は、ワイパブレード２、長手方向ストリップ４、２つのピン１８とベース１９とを有し一体部品を成すステープル状の構造要素１７、および、接続部品６または「エンドキャップ」を示すウインドスクリーンワイパ装置１の自由端の分解図である。図７は２つのタイプのエンドキャップを示しており、これは、これらの２つのタイプのエンドキャップ、すなわち、参照符号６で示される端壁２０を有するエンドキャップ（図４Ａの閉端キャップとも呼ばれる）、および、参照符号６’で示される開口２３を有するエンドキャップ（図４Ｂの開放端キャップとも呼ばれる）であって、取り外し不能か否かにかかわらずワイパブレード２が開口２３を通じてエンドキャップ６’を越えて突き出ることができるようになっているエンドキャップに関して本発明を使用できるからである。
【００２２】
図８は、構造要素１７が装着される態様、すなわち、構造要素のベース１９がワイパブレード２の上端に配置される一方で、構造要素のピン１８が、図６に示されるようにワイパブレード２の可撓性材料を貫通して凹部１５内へ押し込まれることをさらに詳しく示している。図４Ａ、図５Ａおよび図４Ｂ、図５Ｂにそれぞれ対応する図８Ａおよび図８Ｂの両方の実施形態では、接続部品６，６’が破線で描かれている。
【００２３】
図９は図８の断面図を示しており、この場合、対応する部分が同じ参照符号を伴って示されている。
【００２４】
本発明は、示された実施形態に限定されず、添付の特許請求の範囲内に含まれる他の実施形態にまでも及ぶ。
【図１】
2014514207.tif 000003
【図２】
2014514207.tif 000004
【図３Ａ】
2014514207.tif 000005
【図３Ｂ】
2014514207.tif 000006
【図４Ａ】
2014514207.tif 000007
【図４Ｂ】
2014514207.tif 000008
【図５Ａ】
2014514207.tif 000009
【図５Ｂ】
2014514207.tif 000010
【図６ａ】
2014514207.tif 000011
【図６ｂ】
2014514207.tif 000012
【図７】
2014514207.tif 000013
【図８Ａ】
2014514207.tif 000014
【図８Ｂ】
2014514207.tif 000015
【図９】
2014514207.tif 000016
【国際調査報告】
2014514207.tif 000017
2014514207.tif 000018
2014514207.tif 000019